【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、
前記リード部により読み取られた機器IDの認証が認められたとき、前記切替部をオンにして、前記電力供給線を介して前記機器へと前記商用電源周波数による電力を供給するように制御する制御部とを含み、
前記制御部は、前記機器から前記電力供給線が引き抜かれるとき、前記切替部をオフにして電力供給を停止する
電力供給装置。
【請求項２】
商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、
前記リード部により読み取られた個人IDの認証が認められたとき、前記切替部をオンにして、前記電力供給線を介して前記機器へと前記商用電源周波数による電力を供給するように制御する制御部とを含み、
前記制御部は、前記機器から前記電力供給線が引き抜かれるとき、前記切替部をオフにして電力供給を停止する
電力供給装置。
【請求項３】
商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、
前記リード部により読み取られた機器IDの認証が認められたとき、前記切替部をオンにして、前記電力供給線を介して前記機器へと前記商用電源周波数による電力を供給するように制御する制御部と、
前記機器を所有する所有者が前記商用電源周波数による電力供給を受ける権利を有する者である事が認められたとき、前記機器の所有者の機器IDを登録する登録部と
を含む電力供給装置。
【請求項４】
商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、
前記リード部により読み取られた個人IDの認証が認められたとき、前記切替部をオンにして、前記電力供給線を介して前記機器へと前記商用電源周波数による電力を供給するように制御する制御部と、
前記機器を所有する所有者が前記商用電源周波数による電力供給を受ける権利を有する者である事が認められたとき、前記機器の所有者の機器IDを登録する登録部と
を含む電力供給装置。
【請求項５】
商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、
前記リード部により読み取られた機器IDの認証が認められたとき、前記切替部をオンにして、前記電力供給線を介して前記機器へと前記商用電源周波数による電力を供給するように制御する制御部と
を含む電力供給装置の電力供給方法において、
前記リード部が、前記商用電源の電力を供給する前記経路とは異なる経路より前記電力供給線を介して高周波信号により前記機器の記憶部を起動させるための電力を供給し、負荷変調により前記記憶部より機器IDを読み取り、
前記制御部が、前記リード部により読み取られた機器IDの認証が認められたとき、前記切替部をオンにして、前記電力供給線を介して前記機器へと前記商用電源周波数による電力を供給するように制御する
電力供給方法。
【請求項６】
前記制御部が、前記機器から前記電力供給線が引き抜かれるとき、前記切替部をオフにして電力供給を停止する
請求項５に記載の電力供給方法。
【請求項７】
前記電力供給装置は、
前記機器を所有する所有者が前記商用電源周波数による電力供給を受ける権利を有する者である事が認められたとき、前記機器の所有者の機器IDを登録する登録部をさらに含み、
前記登録部が、前記機器を所有する所有者が前記商用電源周波数による電力供給を受ける権利を有する者である事が認められたとき、前記機器の所有者の機器IDを登録する
請求項５に記載の電力供給方法。
【請求項８】
商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、
前記リード部により読み取られた機器IDの認証が認められたとき、前記切替部をオンにして、前記電力供給線を介して前記機器へと前記商用電源周波数による電力を供給するように制御する制御部と
を含む電力供給装置を制御するコンピュータに、
前記リード部が、前記商用電源の電力を供給する前記経路とは異なる経路より前記電力供給線を介して高周波信号により前記機器の記憶部を起動させるための電力を供給し、負荷変調により前記記憶部より機器IDを読み取り、
前記制御部が、前記リード部により読み取られた機器IDの認証が認められたとき、前記切替部をオンにして、前記電力供給線を介して前記機器へと前記商用電源周波数による電力を供給するように制御するステップ
を含む処理を実行させるプログラム。
【請求項９】
前記制御部が、前記機器から前記電力供給線が引き抜かれるとき、前記切替部をオフにして電力供給を停止するステップを含む処理を実行させる
請求項８に記載のプログラム。
【請求項１０】
前記電力供給装置は、
前記機器を所有する所有者が前記商用電源周波数による電力供給を受ける権利を有する者である事が認められたとき、前記機器の所有者の機器IDを登録する登録部をさらに含み、
前記登録部が、前記機器を所有する所有者が前記商用電源周波数による電力供給を受ける権利を有する者である事が認められたとき、前記機器の所有者の機器IDを登録するステップを含む処理を実行させる
請求項８に記載のプログラム。
【請求項１１】
商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、
前記リード部により読み取られた個人IDの認証が認められたとき、前記切替部をオンにして、前記電力供給線を介して前記機器へと前記商用電源周波数による電力を供給するように制御する制御部と
を含む電力供給装置の電力供給方法において、
前記リード部が、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取り、
前記制御部が、前記リード部により読み取られた個人IDの認証が認められたとき、前記切替部をオンにして、前記電力供給線を介して前記機器へと前記商用電源周波数による電力を供給するように制御する
電力供給方法。
【請求項１２】
前記制御部が、前記機器から前記電力供給線が引き抜かれるとき、前記切替部をオフにして電力供給を停止する
請求項１１に記載の電力供給方法。
【請求項１３】
前記電力供給装置は、
前記機器を所有する所有者が前記商用電源周波数による電力供給を受ける権利を有する者である事が認められたとき、前記機器の所有者の機器IDを登録する登録部をさらに含み、
前記登録部が、前記機器を所有する所有者が前記商用電源周波数による電力供給を受ける権利を有する者である事が認められたとき、前記機器の所有者の機器IDを登録する
請求項１１に記載の電力供給方法。
【請求項１４】
商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、
前記リード部により読み取られた個人IDの認証が認められたとき、前記切替部をオンにして、前記電力供給線を介して前記機器へと前記商用電源周波数による電力を供給するように制御する制御部と
を含む電力供給装置を制御するコンピュータに、
前記リード部が、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取り、
前記制御部が、前記リード部により読み取られた個人IDの認証が認められたとき、前記切替部をオンにして、前記電力供給線を介して前記機器へと前記商用電源周波数による電力を供給するように制御するステップ
を含む処理を実行させるプログラム。
【請求項１５】
前記制御部が、前記機器から前記電力供給線が引き抜かれるとき、前記切替部をオフにして電力供給を停止するステップを含む処理を実行させる
請求項１４に記載のプログラム。
【請求項１６】
前記電力供給装置は、
前記機器を所有する所有者が前記商用電源周波数による電力供給を受ける権利を有する者である事が認められたとき、前記機器の所有者の機器IDを登録する登録部をさらに含み、
前記登録部が、前記機器を所有する所有者が前記商用電源周波数による電力供給を受ける権利を有する者である事が認められたとき、前記機器の所有者の機器IDを登録するステップを含む処理を実行させる
請求項１４に記載のプログラム。
【手続補正２】
【補正対象書類名】明細書
【補正対象項目名】０００８
【補正方法】変更
【補正の内容】
【０００８】
本技術の第１の側面の電力供給装置は、商用電源の電力を供給する経路より電力供給線を介した機器への商用電源周波数による電力供給を前記経路上でオンまたはオフにする切替部と、前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、前記リード部により読み取られた機器IDの認証が認められたとき、前記切替部をオンにして、前記電力供給線を介して前記機器へと前記商用電源周波数による電力を供給するように制御する制御部とを含み、前記制御部は、前記機器から前記電力供給線が引き抜かれるとき、前記切替部をオフにして電力供給を停止する。
本技術の第１の側面においては、商用電源の電力を供給する経路より電力供給線を介した機器への商用電源周波数による電力供給が前記経路上でオンまたはオフにされ、前記商用電源の電力を供給する前記経路とは異なる経路より前記電力供給線を介して高周波信号により前記機器の記憶部を起動させるための電力が供給され、負荷変調により機器IDが読み取られ、読み取られた機器IDの認証が認められたとき、前記電力供給がオンにされて、前記電力供給線を介して前記機器へと前記商用電源周波数による電力が供給されるように制御され、前記機器から前記電力供給線が引き抜かれるとき、前記電力供給がオフにされて電力供給が停止される。
【手続補正３】
【補正対象書類名】明細書
【補正対象項目名】０００９
【補正方法】変更
【補正の内容】
【０００９】
本技術の第２の側面の電力供給装置は、商用電源の電力を供給する経路より電力供給線を介した機器への商用電源周波数による電力供給を前記経路上でオンまたはオフにする切替部と、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、前記リード部により読み取られた個人IDの認証が認められたとき、前記切替部をオンにして、前記電力供給線を介して前記機器へと前記商用電源周波数による電力を供給するように制御する制御部とを含み、前記制御部は、前記機器から前記電力供給線が引き抜かれるとき、前記切替部をオフにして電力供給を停止する。
本技術の第２の側面においては、商用電源の電力を供給する経路より電力供給線を介した機器への商用電源周波数による電力供給が前記経路上でオンまたはオフにされ、前記商用電源の電力を供給する前記経路とは異なる経路より前記電力供給線、および前記機器に接続されたアンテナを介して、高周波信号により非接触で記憶媒体を起動させるための電力が供給され、負荷変調により前記記憶媒体に記憶された個人IDが読み取られ、読み取られた個人IDの認証が認められたとき、前記電力供給がオンにされて、前記電力供給線を介して前記機器へと前記商用電源周波数による電力が供給されるように制御され、前記機器から前記電力供給線が引き抜かれるとき、前記電力供給がオフにされて電力供給が停止される。
本技術の第３の側面の電力供給装置は、商用電源の電力を供給する経路より電力供給線を介した機器への商用電源周波数による電力供給を前記経路上でオンまたはオフにする切替部と、前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、前記リード部により読み取られた機器IDの認証が認められたとき、前記切替部をオンにして、前記電力供給線を介して前記機器へと前記商用電源周波数による電力を供給するように制御する制御部と、前記機器を所有する所有者が前記商用電源周波数による電力供給を受ける権利を有する者である事が認められたとき、前記機器の所有者の機器IDを登録する登録部とを含む。
本技術の第３の側面においては、商用電源の電力を供給する経路より電力供給線を介した機器への商用電源周波数による電力供給が前記経路上でオンまたはオフにされ、前記商用電源の電力を供給する前記経路とは異なる経路より前記電力供給線を介して高周波信号により前記機器の記憶部を起動させるための電力が供給され、負荷変調により前記記憶部より機器IDが読み取られ、前記リード部により読み取られた機器IDの認証が認められたとき、前記電力供給がオンにされて、前記電力供給線を介して前記機器へと前記商用電源周波数による電力が供給されるように制御され、前記機器を所有する所有者が前記商用電源周波数による電力供給を受ける権利を有する者である事が認められたとき、前記機器の所有者の機器IDが登録される。
【手続補正４】
【補正対象書類名】明細書
【補正対象項目名】００１０
【補正方法】変更
【補正の内容】
【００１０】
本技術の第４の側面の電力供給装置は、商用電源の電力を供給する経路より電力供給線を介した機器への商用電源周波数による電力供給を前記経路上でオンまたはオフにする切替部と、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、前記リード部により読み取られた個人IDの認証が認められたとき、前記切替部をオンにして、前記電力供給線を介して前記機器へと前記商用電源周波数による電力を供給するように制御する制御部と、前記機器を所有する所有者が前記商用電源周波数による電力供給を受ける権利を有する者である事が認められたとき、前記機器の所有者の機器IDを登録する登録部とを含む。
本技術の第４の側面においては、商用電源の電力を供給する経路より電力供給線を介した機器への商用電源周波数による電力供給が前記経路上でオンまたはオフにされ、前記商用電源の電力を供給する前記経路とは異なる経路より前記電力供給線、および前記機器に接続されたアンテナを介して、高周波信号により非接触で記憶媒体を起動させるための電力が供給され、負荷変調により前記記憶媒体に記憶された個人IDが読み取られ、読み取られた個人IDの認証が認められたとき、前記電力供給がオンにされて、前記電力供給線を介して前記機器へと前記商用電源周波数による電力が供給されるように制御され、前記機器を所有する所有者が前記商用電源周波数による電力供給を受ける権利を有する者である事が認められたとき、前記機器の所有者の機器IDが登録される。
【手続補正５】
【補正対象書類名】明細書
【補正対象項目名】００１１
【補正方法】変更
【補正の内容】
【００１１】
本技術の第５の側面の電力供給方法は、商用電源の電力を供給する経路より電力供給線を介した機器への商用電源周波数による電力供給を前記経路上でオンまたはオフにする切替部と、前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、前記リード部により読み取られた機器IDの認証が認められたとき、前記切替部をオンにして、前記電力供給線を介して前記機器へと前記商用電源周波数による電力を供給するように制御する制御部とを含む電力供給装置の電力供給方法であって、前記リード部が、前記商用電源の電力を供給する前記経路とは異なる経路より前記電力供給線を介して高周波信号により前記機器の記憶部を起動させるための電力を供給し、負荷変調により前記記憶部より機器IDを読み取り、前記制御部が、前記リード部により読み取られた機器IDの認証が認められたとき、前記切替部をオンにして、前記電力供給線を介して前記機器へと前記商用電源周波数による電力を供給するように制御する。
前記制御部に、前記機器から前記電力供給線が引き抜かれるとき、前記切替部をオフにして電力供給を停止させるようにすることができる。
前記電力供給装置には、前記機器を所有する所有者が前記商用電源周波数による電力供給を受ける権利を有する者である事が認められたとき、前記機器の所有者の機器IDを登録する登録部をさらに設けるようにさせることができ、前記登録部には、前記機器を所有する所有者が前記商用電源周波数による電力供給を受ける権利を有する者である事が認められたとき、前記機器の所有者の機器IDを登録させるようにすることができる。
【手続補正６】
【補正対象書類名】明細書
【補正対象項目名】００１２
【補正方法】変更
【補正の内容】
【００１２】
本技術の第５の側面のプログラムは、商用電源の電力を供給する経路より電力供給線を介した機器への商用電源周波数による電力供給を前記経路上でオンまたはオフにする切替部と、前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、前記リード部により読み取られた機器IDの認証が認められたとき、前記切替部をオンにして、前記電力供給線を介して前記機器へと前記商用電源周波数による電力を供給するように制御する制御部とを含む電力供給装置を制御するコンピュータに、前記リード部が、前記商用電源の電力を供給する前記経路とは異なる経路より前記電力供給線を介して高周波信号により前記機器の記憶部を起動させるための電力を供給し、負荷変調により前記記憶部より機器IDを読み取り、前記制御部が、前記リード部により読み取られた機器IDの認証が認められたとき、前記切替部をオンにして、前記電力供給線を介して前記機器へと前記商用電源周波数による電力を供給するように制御するステップを含む処理を実行させる。
前記制御部には、前記機器から前記電力供給線が引き抜かれるとき、前記切替部をオフにして電力供給を停止するステップを含む処理を実行させるようにすることができる。
前記電力供給装置には、前記機器を所有する所有者が前記商用電源周波数による電力供給を受ける権利を有する者である事が認められたとき、前記機器の所有者の機器IDを登録する登録部をさらに設けるようにさせることができ、前記登録部には、前記機器を所有する所有者が前記商用電源周波数による電力供給を受ける権利を有する者である事が認められたとき、前記機器の所有者の機器IDを登録するステップを含む処理を実行させるようにすることができる。
【手続補正７】
【補正対象書類名】明細書
【補正対象項目名】００１３
【補正方法】変更
【補正の内容】
【００１３】
本技術の第５の側面においては、商用電源の電力を供給する経路より電力供給線を介した機器への商用電源周波数による電力供給が前記経路上でオンまたはオフにされ、前記商用電源の電力を供給する前記経路とは異なる経路より前記電力供給線を介して高周波信号により前記機器の記憶部を起動させるための電力が供給され、負荷変調により前記記憶部より機器IDが読み取られ、読み取られた機器IDの認証が認められたとき、前記電力供給がオンにされて、前記電力供給線を介して前記機器へと前記商用電源周波数による電力が供給されるように制御され、前記商用電源の電力を供給する前記経路とは異なる経路より前記電力供給線を介して高周波信号により前記機器の記憶部を起動させるための電力が供給され、負荷変調により前記記憶部より機器IDが読み取られ、読み取られた機器IDの認証が認められたとき、前記電力供給がオンにされて、前記電力供給線を介して前記機器へと前記商用電源周波数による電力が供給されるように制御される。
【手続補正８】
【補正対象書類名】明細書
【補正対象項目名】００１４
【補正方法】変更
【補正の内容】
【００１４】
本技術の第６の側面の電力供給方法は、商用電源の電力を供給する経路より電力供給線を介した機器への商用電源周波数による電力供給を前記経路上でオンまたはオフにする切替部と、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、前記リード部により読み取られた個人IDの認証が認められたとき、前記切替部をオンにして、前記電力供給線を介して前記機器へと前記商用電源周波数による電力を供給するように制御する制御部とを含む電力供給装置の電力供給方法であって、前記リード部が、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取り、前記制御部が、前記リード部により読み取られた個人IDの認証が認められたとき、前記切替部をオンにして、前記電力供給線を介して前記機器へと前記商用電源周波数による電力を供給するように制御する。
前記制御部には、前記機器から前記電力供給線が引き抜かれるとき、前記切替部をオフにして電力供給を停止させるようにすることができる。
前記電力供給装置には、前記機器を所有する所有者が前記商用電源周波数による電力供給を受ける権利を有する者である事が認められたとき、前記機器の所有者の機器IDを登録する登録部をさらに設けるようにさせることができ、前記登録部には、前記機器を所有する所有者が前記商用電源周波数による電力供給を受ける権利を有する者である事が認められたとき、前記機器の所有者の機器IDを登録させるようにすることができる。
【手続補正９】
【補正対象書類名】明細書
【補正対象項目名】００１５
【補正方法】変更
【補正の内容】
【００１５】
本技術の第６の側面のプログラムは、商用電源の電力を供給する経路より電力供給線を介した機器への商用電源周波数による電力供給を前記経路上でオンまたはオフにする切替部と、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、前記リード部により読み取られた個人IDの認証が認められたとき、前記切替部をオンにして、前記電力供給線を介して前記機器へと前記商用電源周波数による電力を供給するように制御する制御部とを含む電力供給装置を制御するコンピュータに、前記リード部が、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取り、前記制御部が、前記リード部により読み取られた個人IDの認証が認められたとき、前記切替部をオンにして、前記電力供給線を介して前記機器へと前記商用電源周波数による電力を供給するように制御するステップを含む処理を実行させる。
前記制御部には、前記機器から前記電力供給線が引き抜かれるとき、前記切替部をオフにして電力供給を停止するステップを含む処理を実行させるようにすることができる。
前記電力供給装置には、前記機器を所有する所有者が前記商用電源周波数による電力供給を受ける権利を有する者である事が認められたとき、前記機器の所有者の機器IDを登録する登録部をさらに設けるようにさせることができ、前記登録部には、前記機器を所有する所有者が前記商用電源周波数による電力供給を受ける権利を有する者である事が認められたとき、前記機器の所有者の機器IDを登録するステップを含む処理を実行させるようにすることができる。
【手続補正１０】
【補正対象書類名】明細書
【補正対象項目名】００１６
【補正方法】変更
【補正の内容】
【００１６】
本技術の第６の側面においては、商用電源の電力を供給する経路より電力供給線を介した機器への商用電源周波数による電力供給が前記経路上でオンまたはオフにされ、前記商用電源の電力を供給する前記経路とは異なる経路より前記電力供給線、および前記機器に接続されたアンテナを介して、高周波信号により非接触で記憶媒体を起動させるための電力が供給され、負荷変調により前記記憶媒体に記憶された個人IDが読み取られ、読み取られた個人IDの認証が認められたとき、前記電力供給がオンにされて、前記電力供給線を介して前記機器へと前記商用電源周波数による電力が供給されるように制御され、前記商用電源の電力を供給する前記経路とは異なる経路より前記電力供給線、および前記機器に接続されたアンテナを介して、高周波信号により非接触で記憶媒体を起動させるための電力が供給され、負荷変調により前記記憶媒体に記憶された個人IDが読み取られ、読み取られた個人IDの認証が認められたとき、前記電力供給がオンにされて、前記電力供給線を介して前記機器へと前記商用電源周波数による電力が供給されるように制御される。
【手続補正１１】
【補正対象書類名】明細書
【補正対象項目名】０１３３
【補正方法】変更
【補正の内容】
【０１３３】
尚、本技術は以下のような構成を取ることができる。
（１）  商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、
前記リード部により読み取られた機器IDの認証が認められたとき、前記切替部をオンにして、前記電力供給線を介して前記機器へと前記商用電源周波数による電力を供給するように制御する制御部とを含み、
前記制御部は、前記機器から前記電力供給線が引き抜かれるとき、前記切替部をオフにして電力供給を停止する
電力供給装置。
（２）  商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、
前記リード部により読み取られた個人IDの認証が認められたとき、前記切替部をオンにして、前記電力供給線を介して前記機器へと前記商用電源周波数による電力を供給するように制御する制御部とを含み、
前記制御部は、前記機器から前記電力供給線が引き抜かれるとき、前記切替部をオフにして電力供給を停止する
電力供給装置。
（３）  商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、
前記リード部により読み取られた機器IDの認証が認められたとき、前記切替部をオンにして、前記電力供給線を介して前記機器へと前記商用電源周波数による電力を供給するように制御する制御部と、
前記機器を所有する所有者が前記商用電源周波数による電力供給を受ける権利を有する者である事が認められたとき、前記機器の所有者の機器IDを登録する登録部と
を含む電力供給装置。
（４）  商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、
前記リード部により読み取られた個人IDの認証が認められたとき、前記切替部をオンにして、前記電力供給線を介して前記機器へと前記商用電源周波数による電力を供給するように制御する制御部と、
前記機器を所有する所有者が前記商用電源周波数による電力供給を受ける権利を有する者である事が認められたとき、前記機器の所有者の機器IDを登録する登録部と
を含む電力供給装置。
（５）  商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、
前記リード部により読み取られた機器IDの認証が認められたとき、前記切替部をオンにして、前記電力供給線を介して前記機器へと前記商用電源周波数による電力を供給するように制御する制御部と
を含む電力供給装置の電力供給方法において、
前記リード部が、前記商用電源の電力を供給する前記経路とは異なる経路より前記電力供給線を介して高周波信号により前記機器の記憶部を起動させるための電力を供給し、負荷変調により前記記憶部より機器IDを読み取り、
前記制御部が、前記リード部により読み取られた機器IDの認証が認められたとき、前記切替部をオンにして、前記電力供給線を介して前記機器へと前記商用電源周波数による電力を供給するように制御する
電力供給方法。
（６）  前記制御部が、前記機器から前記電力供給線が引き抜かれるとき、前記切替部をオフにして電力供給を停止する
（５）に記載の電力供給方法。
（７）  前記電力供給装置は、
前記機器を所有する所有者が前記商用電源周波数による電力供給を受ける権利を有する者である事が認められたとき、前記機器の所有者の機器IDを登録する登録部をさらに含み、
前記登録部が、前記機器を所有する所有者が前記商用電源周波数による電力供給を受ける権利を有する者である事が認められたとき、前記機器の所有者の機器IDを登録する
（５）または（６）に記載の電力供給方法。
（８）  商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線を介して高周波信号により前記機器の記憶部を起動させるための電力を供給し、負荷変調により前記記憶部より機器IDを読み取るリード部と、
前記リード部により読み取られた機器IDの認証が認められたとき、前記切替部をオンにして、前記電力供給線を介して前記機器へと前記商用電源周波数による電力を供給するように制御する制御部と
を含む電力供給装置を制御するコンピュータに、
前記リード部が、前記商用電源の電力を供給する前記経路とは異なる経路より前記電力供給線を介して高周波信号により前記機器の記憶部を起動させるための電力を供給し、負荷変調により前記記憶部より機器IDを読み取り、
前記制御部が、前記リード部により読み取られた機器IDの認証が認められたとき、前記切替部をオンにして、前記電力供給線を介して前記機器へと前記商用電源周波数による電力を供給するように制御するステップ
を含む処理を実行させるプログラム。
（９）  前記制御部が、前記機器から前記電力供給線が引き抜かれるとき、前記切替部をオフにして電力供給を停止するステップを含む処理を実行させる
（８）に記載のプログラム。
（１０）  前記電力供給装置は、
前記機器を所有する所有者が前記商用電源周波数による電力供給を受ける権利を有する者である事が認められたとき、前記機器の所有者の機器IDを登録する登録部をさらに含み、
前記登録部が、前記機器を所有する所有者が前記商用電源周波数による電力供給を受ける権利を有する者である事が認められたとき、前記機器の所有者の機器IDを登録するステップを含む処理を実行させる
（８）または（９）に記載のプログラム。
（１１）  商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、
前記リード部により読み取られた個人IDの認証が認められたとき、前記切替部をオンにして、前記電力供給線を介して前記機器へと前記商用電源周波数による電力を供給するように制御する制御部と
を含む電力供給装置の電力供給方法において、
前記リード部が、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取り、
前記制御部が、前記リード部により読み取られた個人IDの認証が認められたとき、前記切替部をオンにして、前記電力供給線を介して前記機器へと前記商用電源周波数による電力を供給するように制御する
電力供給方法。
（１２）  前記制御部が、前記機器から前記電力供給線が引き抜かれるとき、前記切替部をオフにして電力供給を停止する
（１１）に記載の電力供給方法。
（１３）  前記電力供給装置は、
前記機器を所有する所有者が前記商用電源周波数による電力供給を受ける権利を有する者である事が認められたとき、前記機器の所有者の機器IDを登録する登録部をさらに含み、
前記登録部が、前記機器を所有する所有者が前記商用電源周波数による電力供給を受ける権利を有する者である事が認められたとき、前記機器の所有者の機器IDを登録する
（１１）または（１２）に記載の電力供給方法。
（１４）  商用電源の電力を供給する経路より電力供給線を介した機器への商用電源周波数による電力供給を前記経路上でオンまたはオフにする切替部と、
前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取るリード部と、
前記リード部により読み取られた個人IDの認証が認められたとき、前記切替部をオンにして、前記電力供給線を介して前記機器へと前記商用電源周波数による電力を供給するように制御する制御部と
を含む電力供給装置を制御するコンピュータに、
前記リード部が、前記商用電源の電力を供給する前記経路とは異なる経路より前記電力供給線、および前記機器に接続されたアンテナを介して、高周波信号により非接触で記憶媒体を起動させるための電力を供給し、負荷変調により前記記憶媒体に記憶された個人IDを読み取り、
前記制御部が、前記リード部により読み取られた個人IDの認証が認められたとき、前記切替部をオンにして、前記電力供給線を介して前記機器へと前記商用電源周波数による電力を供給するように制御するステップ
を含む処理を実行させるプログラム。
（１５）  前記制御部が、前記機器から前記電力供給線が引き抜かれるとき、前記切替部をオフにして電力供給を停止するステップを含む処理を実行させる
（１４）に記載のプログラム。
（１６）  前記電力供給装置は、
前記機器を所有する所有者が前記商用電源周波数による電力供給を受ける権利を有する者である事が認められたとき、前記機器の所有者の機器IDを登録する登録部をさらに含み、
前記登録部が、前記機器を所有する所有者が前記商用電源周波数による電力供給を受ける権利を有する者である事が認められたとき、前記機器の所有者の機器IDを登録するステップを含む処理を実行させる
（１４）または（１５）に記載のプログラム。